(57)【要約】【課題】仕様の異なる複数のリモコン機器を簡易に判別する手段を提供する。【解決手段】リモコン機器１ｂが本体機器１ａによって電源供給をも兼ねるデータライン１ｇを用いて電源オンした後、リモコンマイコン１ｄはキー入力ライン１ｈを用いて予めリモコンマイコン１ｄにプログラムされている識別信号を本体１ａのマイコン１ｃに出力する。その識別信号を本体マイコン１ｃが判別し仕様の異なる複数のリモコン機器１ｂの種類を判別し、それに対応した通信を可能にするする。【選択図】  図１
2005033301.tif 000002
【特許請求の範囲】
【請求項１】
仕様が異なる複数種類のリモコン機器を有線で選択的に本体機器に接続してリモコン制御可能状態に構成されたリモコン装置であって、
前記リモコン機器は前記本体機器に接続して前記本体機器からの電源供給開始の所定時間経過後本体機器側へ当該リモコン機器を識別する信号を出力する識別信号出力手段を備え、
前記本体機器は、前記リモコン機器側からの識別信号を検出することにより現在接続されているリモコン機器を判別し、当該リモコン機器に応じたデータの送受信を可能とする識別信号検出手段を備えたことを特徴とするリモコン機器判別装置。
【請求項２】
前記複数種類のリモコン機器は、それぞれ共通の通信手段と少なくとも表示器および当該表示器を駆動する制御手段を有し、
前記表示器は前記リモコン機器の仕様に応じたデータに基づく表示仕様を有するとともに、
前記制御手段はその表示仕様に応じた制御を行う機能を備えた請求項１記載のリモコン装置。
【請求項３】
前記リモコン機器における前記表示器を駆動する制御手段はさらにキー入力手段を備え、
そのキー入力手段はキー入力ラインを介して本体機器内蔵のマイコンＡＤ入力ラインと接続され、
前記リモコン機器の電源は本体機器とリモコン機器との間でデータの送受信を行うデータラインを用いて供給され、
前記リモコン機器側に電源供給される毎に前記リモコン機器の制御部は当該キー入力ラインを用いて予めプログラムされている手順で識別信号を本体機器側へ出力するものである請求項１または２記載のリモコン装置。
【請求項４】
前記識別信号は、リモコン機器側制御部の発振安定待ち時間および内部初期化時間を経てキー入力ラインに予め記録された周期のＨ，Ｌレベル信号を出力する請求項２または３記載のリモコン装置。
【発明の詳細な説明】
【０００１】
【発明の属する技術分野】
本発明は、本体機器の操作を本体機器に有線で接続されたリモートコントロール（以下、リモコンと省略）機器を用いて操作するリモコン装置に関し、特に複数のリモコン機器を交換して制御可能な場合、リモコン機器側から出力する識別信号を本体機器側で判別して、接続されたリモコン機器に対応したデータの送受信を可能とするリモコン装置に関するものである。
【０００２】
【従来の技術】
従来より、有線で接続したリモコン機器で本体機器を遠隔操作するリモコン装置（ワイヤードリモコン装置）が広く用いられている。図４は従来のワイヤードリモコン装置の構成を示すブロック図、図５は従来のリモコン装置におけるキー入力部のブロック図を示す。
【０００３】
図４においてリモコン装置は本体機器４ａとリモコン機器４ｂとからなり、本体機器４ａには本体マイコン４ｃが内蔵され、リモコン機器４ｂには表示器４ｅとキー入力部４ｆが内蔵されている。本体機器４ａとリモコン機器４ｂとの間には、本体マイコン４ｃからリモコン機器４ｂの表示器４ｅへデータを送信するデータライン４ｇ、リモコン機器４ｂ側に内蔵されているキー入力部４ｆと本体マイコン４ｃのＡＤ入力ポートと結線されるキー入力ライン４ｈ、本体機器４ａとリモコン機器４ｂとを接続するＧＮＤライン４ｉが結線されている。データライン４ｇは本体機器４ａからリモコン機器４ｂへの電源供給ラインを兼ねている。
【０００４】
図５において、簡単のためにキースイッチが４個の場合の図を示す。キー入力部４ｆには、電源ＶＤＤからグランドとの間に抵抗器Ｒ０、Ｒ１が直列に接続され、抵抗器Ｒ１に並列にキースイッチＳ１が接続され、キースイッチＳ１に並列に抵抗器Ｒ２とキースイッチＳ２の直列回路が接続され、またキースイッチＳ２に並列に抵抗器Ｒ３とキースイッチＳ３の直列回路が接続され、またキースイッチＳ３に並列に抵抗器Ｒ４とキースイッチＳ４の直列回路が接続されている。
【０００５】
抵抗器Ｒ０とＲ１との接続点からはキー入力ライン４ｈが本体機器４ａのマイコン４ｃのＡＤ入力ポートに接続されている。
【０００６】
このように構成された従来のリモコン装置の動作を説明すると、図５において、たとえばキースイッチＳ１が押圧されると、電源電圧ＶＤＤは抵抗器Ｒ０とＲ１の抵抗比で分圧されてキー入力ライン４ｈを介して本体マイコン４ｃのＡＤ入力ポートに入力され、この電圧からマイコン４ｃはキースイッチＳ１が押圧されたことを検出する。同様にキースイッチＳ２，Ｓ３，Ｓ４が押圧されたときも、キースイッチに対応する電圧が抵抗器によって分圧されて本体マイコン４ｃのＡＤ入力ポートに入力されて、どのキースイッチが押圧されたかが検出される。
【０００７】
このように本体機器４ａとリモコン機器４ｂが、それぞれ１対１で対応している場合はいいが、リモコン機器を交換したい場合がある。たとえば本体機器４ａに標準で付属するリモコン機器が、表示器としてモノクローム表示で、アルファベット・かな表示可能なものであり、オプションとして表示器がカラー表示、漢字表示可能であり、またキースイッチの機能も複雑なものを使用したい場合がある。
【０００８】
特許文献１のものは、ワイヤレスリモコンの例で、かつ１台のリモコンで異なる機能の機器を操作したい場合であるが、各機器側（本体機器）からリモコン１３に機器判別信号を発信する手段１４と、受信された信号を解読し記憶装置から該当する機器のリモコンコードをリモコンの各キーに割り当てる手段を備えたものである。
【０００９】
これによって機器側からリモコン側に発信される機器判別信号によりリモコン側が機器を判別し、該当する機器のリモコンコードをリモコンの各キーに割り当てるので、使用者は機器の種類に関わらず同じリモコンを使用できることとなる。
【００１０】
【特許文献１】
特開平７−１２３４７９号公報（図１および要約）
【００１１】
【発明が解決しようとする課題】
上記のような従来のワイヤードリモコン装置の場合、まず対応策の１点目には、予めユーザーが使用するリモコン機器の種類を本体機器に指定させる手法がある。たとえば本体機器側に切替スイッチを用意し、この切替スイッチを使用するリモコン機器に合わせて切り替える。この場合、ユーザー側が常に本体機器側に接続するリモコン機器の種類を意識して使用する必要が生じる。その結果、ユーザビリティー低下につながる。
【００１２】
対応策の２点目としては、本体機器にリモコン機器を接続するジャックにリモコン識別用ラインを追加させる構成をとり、このラインを用いて接続されたリモコン機器を本体側マイコンが識別する手法がある。この場合、新たにリモコン識別用ラインを追加する必要が生じる。その結果、新たなコストが発生し、またジャックの互換性が損なわれることとなる。
【００１３】
本来、複数のリモコンをユーザー側が意識することなくまた接続ジャックの変更なしで同一のリモコンジャックによって構成することがユーザビリティーの向上、コスト削減の観点から望まれるものである。
【００１４】
また特許文献１のものは、本発明の目的とは逆にリモコン機器側が固定で、本体機器側が可変となるものであり、本体機器とリモコン機器との立場が逆であること、また、リモコン機器と本体機器との通信が有線でなく無線である点が異なっている。
【００１５】
本発明は、上記従来の問題点を改善するためになされたもので、有線で本体機器と選択的に接続されたリモコン機器側マイコンが本体機器側へリモコンの機器判別信号を出力する機能と、その出力された識別信号により本体側マイコン側でリモコンの機器の種類を判別する機能を付け加えることにより、簡単な構成でユーザビリティー向上とコスト削減が実現可能なリモコン装置を提供することを目的としてなされたものである。
【００１６】
【課題を解決するための手段】
この課題を解決するために本発明のリモコン装置は、リモコン機器側マイコンが本体機器側へリモコンの機器判別信号を出力する機能を備え、その出力された識別信号を本体側マイコンでリモコンの機器を判別する機能を備えるよう構成したものであり、その結果、容易にユーザビリティー向上とコスト削減が実現可能な本発明リモコン装置が実現できる。
【００１７】
さらに詳しくは本発明のリモコン装置の基本の構成は、仕様が異なる複数種類のリモコン機器を有線で選択的に本体機器に接続してリモコン制御可能状態に構成されたリモコン装置であって、前記リモコン機器は前記本体機器に接続して前記本体機器からの電源供給開始の所定時間経過後本体機器側へ当該リモコン機器を識別する信号を出力する識別信号出力手段を備え、前記本体機器は、前記リモコン機器側からの識別信号を検出することにより現在接続されているリモコン機器を判別し、当該リモコン機器に応じたデータの送受信を可能とする識別信号検出手段を備えたものである。
【００１８】
これによって、仕様が異なる複数のリモコン機器をユーザー側が意識することなく使用することができるように作用する。
【００１９】
また本発明のリモコン装置は、上記基本の構成において、前記複数種類のリモコン機器は、それぞれ共通の通信手段と少なくとも表示器および当該表示器を駆動する制御手段を有し、前記表示器は前記リモコン機器の仕様に応じたデータに基づく表示仕様を有するとともに、前記制御手段はその表示仕様に応じた制御を行う機能を備えたものとすることができる。
【００２０】
これによって、本体機器の状態を視覚的に表現可能となり、また容易に本体機器の制御操作が可能となる。
【００２１】
また本発明のリモコン装置は、上記基本の構成に加えて、前記リモコン機器における前記表示器を駆動する制御手段はさらにキー入力手段を備え、そのキー入力手段はキー入力ラインを介して本体機器内蔵のマイコンＡＤ入力ラインと接続され、リモコン機器の電源は本体機器とリモコン機器との間でデータの送受信を行うデータラインを用いて供給され、リモコン機器側に電源供給される毎に前記リモコン機器の制御部は当該キー入力ラインを用いて予めプログラムされている手順で識別信号を本体機器側へ出力するものである。
【００２２】
これによって、新たにリモコン識別用ラインを追加させる構成を取らずにリモコン機器を識別可能となる。
【００２３】
さらに本発明のリモコン装置は、上記基本の構成に加えて、前記識別信号は、リモコン機器側制御部の発振安定待ち時間および内部初期化時間を経てキー入力ラインに予め記録された周期のＨ，Ｌレベル信号を出力するものであり、これによって、予め記録された識別信号であるために本体機器側マイコンが接続されたリモコン機器の種類を識別可能となり、リモコン機器に応じたデータの送受信が可能となる。
【００２４】
【発明の実施の形態】
以下本発明の実施の形態について、図面を用いて説明する。図１は本発明の一実施形態におけるリモコン装置の構成を示すブロック図、図２は同じくリモコン装置におけるリモコンマイコンの動作を示すフローチャート、図３は図２のフローチャートの各処理を表すタイムチャートである。
【００２５】
図１においてリモコン装置は本体機器１ａとリモコン機器１ｂとからなり、本体機器１ａには本体マイコン１ｃが内蔵され、リモコン機器１ｂには制御手段としてのリモコンマイコン１ｄ、表示器１ｅおよびキー入力手段であるキー入力部１ｆが内蔵されている。このリモコンマイコン１ｄはキー入力ライン１ｈへ識別信号を出力する機能を有する。表示器１ｅはリモコン機器の仕様に応じて、例えばモノクローム表示とか、カラー表示等の表示仕様を持つことができ、またかな、アルファベット表示の他に漢字表示にするなど任意の変更が可能である。キー入力部１ｆの構成は、図５に示す従来のキー入力部４ｆと同様な構成である。リモコンマイコン１ｄは表示器１ｅのこれらの表示仕様に関わる制御を行い、またキー入力部１ｆの入力検出を行うことができるものである。
【００２６】
本体機器１ａとリモコン機器１ｂとの間には、本体マイコン１ｃからリモコン機器１ｂのリモコンマイコン１ｄを介して表示器１ｅへデータを送信するデータライン１ｇ、リモコン機器側に内蔵されているキー入力部１ｆと本体マイコン１ｃのＡＤ入力ポートと結線されるキー入力ライン１ｈ、本体機器１ａとリモコン機器１ｂとを接続するＧＮＤライン１ｉが結線されている。データライン１ｇは本体機器１ａからリモコン機器１ｂへの電源供給ラインを兼ねている。これらの結線は図示しないコネクタによって容易に着脱できるようになっている。
【００２７】
このように構成された本実施形態のリモコン装置について、つぎに図２と、さらに図３を併用してその動作を説明する。
【００２８】
図２において本体機器１ａにリモコン機器１ｂを接続すると、図３のデータライン３ａは接続と同時に確立されている。図２の電源オン移行確認処理Ｊ１にて電源オン処理であれば以下判別処理へ続き、それ以外のときは判別処理へは移行しない。電源オン処理であった場合、まず初めにリモコンマイコン１ｄ側に電源供給されるが、電源電圧は図３ｂのように徐々に立ち上がるため、リモコンマイコン１ｄの電源が立ち上がった後に図３の３ｃのようにリモコンマイコン１ｄがリセットされ、図２のＳ１でリモコンマイコン１ｄを駆動させるためのクロック発振器の発振の安定待ち時間（図３の３ｆ）が必要となる。
【００２９】
次にＳ２でリモコンマイコン１ｄを駆動させるための初期設定を行う内部初期化（図３の３ｇ）を行う。次にＳ３で識別信号出力手段として、リモコン機器１ｂの識別信号をリモコンマイコン１ｄからキー入力ライン１ｈを用いて出力する初期通信（図３の３ｈ）を行う。この期間においては、図３のキー入力ラインのタイミング（３ｅ）に示す識別信号３ｊを出力する。Ｓ３終了後、Ｓ４で通信待ち（図３の３ｉ）となり、本体機器１ａとリモコン機器１ｂの定常的な通信が可能となる。
【００３０】
ここで識別信号３ｊはＴ０の一定期間でＨ、Ｌレベルを繰り返す信号である。この信号のパターンを予め決定し、リモコンマイコン１ｄ側にプログラムしておき、このパターンを本体側マイコン１ｃにて識別させる。本体機器１ａのマイコン１ｃは、識別信号検出手段として、この図３の３ｈの期間における識別信号３ｊを識別する機能を持たせることでリモコン機器の種類を判別させ、その判別結果により、当該リモコン機器に対応したデータを送受信可能にする。ここでは１，０，１，０，１の５ビットの波形を例示しているが、識別信号のビット数や時間Ｔ０等は対象とするリモコン機器の種類や求められる通信信頼性に応じて決めればよい。
【００３１】
このように、本実施形態によれば、リモコン機器側にマイコンを備え、リモコンマイコンのクロック発振の安定化の後、内部初期化を行い、ついで初期通信によって本体機器のマイコンにリモコン機器の識別信号を送るので、これによって本体マイコンはリモコン機器を判別し、リモコン機器の種類に対応した通信が可能となる。
【００３２】
【発明の効果】
以上説明したように本発明のリモコン装置によれば、リモコン機器側マイコンが本体機器側へリモコンの機器判別信号を出力する機能と、その出力された識別信号を本体側マイコン側でリモコンの機器を判別する機能とを備えることにより、容易に接続された複数のリモコン機器を判別して、リモコン機器に応じたデータの送受信が可能となりユーザビリティーが向上する。
【００３３】
また、将来的なリモコン機器側の表示や操作制御キーの仕様変更が生じた場合にも対応可能である等有利な効果が得られる。
【図面の簡単な説明】
【図１】本発明の一実施形態におけるリモコン装置の構成を示すブロック図
【図２】同じくリモコン装置におけるリモコンマイコンの動作を示すフローチャート
【図３】同じく図２のフローチャートの各処理を表すタイムチャート
【図４】従来のワイヤードリモコン装置の構成を示すブロック図
【図５】従来のキー入力部のブロック図
【符号の説明】
１ａ  本体機器
１ｂ  リモコン機器
１ｃ  本体マイコン
１ｄ  リモコンマイコン
１ｅ  表示器
１ｆ  キー入力部
１ｇ  データライン
１ｈ  キー入力ライン
１ｉ  ＧＮＤライン
【図１】
2005033301.tif 000003
【図２】
2005033301.tif 000004
【図３】
2005033301.tif 000005
【図４】
2005033301.tif 000006
【図５】
2005033301.tif 000007